(57)【要約】  本明細書で説明するシステム及びサッチェルは、内部及び内部の反対側の凹面を形成する側部及び底部と少なくとも１つのリバーシブルコネクタとを含む本体と、２つの端部と各端部におけるリバーシブルコネクタとを含むストラップと、を含む一体型ヘッドマウントディスプレイを有し、内部及び凹面は、底部によって分離されてそれぞれ一端が開口し、凹面は、ヘッドマウントディスプレイを受け入れるように構成され、少なくとも１つのリバーシブルコネクタは、凹面内に受け入れられたヘッドマウントディスプレイを可逆的に保持するように構成され、ヘッドマウントディスプレイが凹面内に受け入れられて保持された時に、側部がヘッドマウントディスプレイと実質的に同一平面になり、ストラップは、本体に可逆的に取り付けられてサッチェルストラップを形成するように、或いはヘッドマウントディスプレイに可逆的に取り付けられてヘッドマウントディスプレイストラップを形成するように転用可能である。【選択図】      図５
2020525247.tif 000002
【特許請求の範囲】
【請求項１】
サッチェルであって、
ａ）内部及び該内部の反対側の凹面を形成する側部及び底部と少なくとも１つのリバーシブルコネクタとを含む本体と、
ｂ）２つの端部と各端部におけるリバーシブルコネクタとを含むストラップと、
を備え、
前記内部及び前記凹面は、前記底部によって分離されてそれぞれ一端が開口し、前記凹面は、ヘッドマウントディスプレイを受け入れるように構成され、前記少なくとも１つのリバーシブルコネクタは、前記凹面内に受け入れられた前記ヘッドマウントディスプレイを可逆的に保持するように構成され、前記ヘッドマウントディスプレイが前記凹面内に受け入れられて保持された時に、前記側部が前記ヘッドマウントディスプレイと実質的に同一平面になり、
前記ストラップは、前記本体に可逆的に取り付けられてサッチェルストラップを形成するように、或いは前記ヘッドマウントディスプレイに可逆的に取り付けられてヘッドマウントディスプレイストラップを形成するように転用可能である、
ことを特徴とするサッチェル。
【請求項２】
前記サッチェルは、財布、バックパック、ダッフルバッグ、弁当箱、旅行かばん、カメラバッグ、又はブリーフケースを含む、
請求項１に記載のサッチェル。
【請求項３】
前記サッチェルは、該サッチェルの前記内部の前記開口端を包囲する可逆的閉じ蓋をさらに含む、
請求項１に記載のサッチェル。
【請求項４】
前記ヘッドマウントディスプレイは、大人用サイズのヘッドマウントディスプレイである、
請求項１に記載のサッチェル。
【請求項５】
前記ヘッドマウントディスプレイは、仮想現実ヘッドマウントディスプレイである、
請求項１に記載のサッチェル。
【請求項６】
前記ヘッドマウントディスプレイは、拡張現実ヘッドマウントディスプレイである、
請求項１に記載のサッチェル。
【請求項７】
前記本体の前記少なくとも１つのリバーシブルコネクタは磁気を帯びる、
請求項１に記載のサッチェル。
【請求項８】
前記ストラップの前記リバーシブルコネクタは磁気を帯びる、
請求項１に記載のサッチェル。
【請求項９】
前記凹面は、前記サッチェルの前記内部の収納容量を減少させることなく前記ヘッドマウントディスプレイを受け入れるように構成される、
請求項１に記載のサッチェル。
【請求項１０】
前記凹面内に受け入れられて保持されたヘッドマウントディスプレイは、前記サッチェルの前記内部にアクセスすることなく前記凹面から取り外し可能である、
請求項１に記載のサッチェル。
【請求項１１】
前記ストラップは、調整可能な長さを有する、
請求項１に記載のサッチェル。
【請求項１２】
前記凹面内に受け入れられて保持されたヘッドマウントディスプレイは、内部にモバイルコンピュータ装置を収納するように構成される、
請求項１に記載のサッチェル。
【請求項１３】
前記サッチェルは、１又は２以上の電子装置のための充電ステーションを備える、
請求項１に記載のサッチェル。
【請求項１４】
前記電子装置は、ヘッドマウントディスプレイ、モバイル装置、スマートホン、カメラ、又はスマートウォッチを含む、
請求項１３に記載のサッチェル。
【請求項１５】
システムであって、
ａ．ヘッドマウントディスプレイと、
ｂ．内部及び該内部の反対側の凹面を形成する側部及び底部と少なくとも１つのリバーシブルコネクタとを含む本体と、
ｃ．２つの端部と各端部におけるリバーシブルコネクタとを含むストラップと、
を備え、
前記内部及び前記凹面は、前記底部によって分離されてそれぞれ一端が開口し、前記凹面は、前記ヘッドマウントディスプレイを受け入れるように構成され、前記少なくとも１つのリバーシブルコネクタは、前記凹面内に受け入れられた前記ヘッドマウントディスプレイを可逆的に保持するように構成され、前記ヘッドマウントディスプレイが前記凹面内に受け入れられて保持された時に、前記側部が前記ヘッドマウントディスプレイの側部と実質的に同一平面になり、
前記ストラップは、前記リバーシブルコネクタを介して前記本体に可逆的に取り付けられるように、或いは前記リバーシブルコネクタを介して前記ヘッドマウントディスプレイに可逆的に取り付けられるように転用可能である、
ことを特徴とするシステム。
【請求項１６】
前記本体は、財布、バックパック、ダッフルバッグ、弁当箱、旅行かばん、カメラバッグ、又はブリーフケースを含む、
請求項１５に記載のシステム。
【請求項１７】
前記本体は、前記内部の前記開口端を包囲する可逆的閉じ蓋をさらに含む、
請求項１５に記載のシステム。
【請求項１８】
前記ヘッドマウントディスプレイは、大人用サイズの仮想現実ヘッドマウントディスプレイである、
請求項１５に記載のシステム。
【請求項１９】
前記ヘッドマウントディスプレイは、大人用サイズの拡張現実ヘッドマウントディスプレイである、
請求項１５に記載のシステム。
【請求項２０】
前記本体の前記少なくとも１つのリバーシブルコネクタは磁気を帯び、或いは前記ストラップの前記リバーシブルコネクタは磁気を帯びる、
請求項１５に記載のシステム。
【請求項２１】
前記凹面は、前記内部の収納容量を減少させることなく前記ヘッドマウントディスプレイを受け入れるように構成される、
請求項１５に記載のシステム。
【請求項２２】
前記ヘッドマウントディスプレイは、前記内部にアクセスすることなく前記凹面から取り外し可能である、
請求項１５に記載のシステム。
【請求項２３】
前記ストラップは、調整可能な長さを有する、
請求項１５に記載のシステム。
【請求項２４】
前記ヘッドマウントディスプレイは、前記凹面内に受け入れられて保持された時に、内部にモバイルコンピュータ装置を収納するように構成される、
請求項１５に記載のシステム。
【請求項２５】
前記システムは、１又は２以上の電子装置のための充電ステーションを備える、
請求項１５に記載のシステム。
【請求項２６】
前記電子装置は、ヘッドマウントディスプレイ、モバイル装置、スマートホン、カメラ、又はスマートウォッチを含む、
請求項１５に記載のサッチェル。
【発明の詳細な説明】
【技術分野】
【０００１】
〔相互参照〕
本出願は、２０１７年３月２２日に出願された米国仮特許出願第６２／４７５，１０７号の利益を主張するものであり、この文献は全体が引用により本明細書に組み入れられる。
【０００２】
〔著作権宣言〕
本特許文書の開示の一部は、著作権保護の対象内容を含む。著作権の権利所有者は、合衆国特許商標庁の特許ファイル又は記録内に表される通りに第三者が特許文書又は特許開示を複製することには異議を唱えないが、それ以外は全ての著作権を留保する。
【背景技術】
【０００３】
一般に、ヘッドマウントディスプレイは、頭部上に又はヘルメットの一部として装着される装置であり、一方又は両方の目の前に表示光学系（ｄｉｓｐｌａｙ  ｏｐｔｉｃ）を有する。ヘッドマウントディスプレイのユーザは、ユーザによる環境との相互作用、並びに視覚、触覚、聴覚及び嗅覚を含む感覚的体験への関与を可能にする数々の複合媒体刺激（ａｒｒａｙ  ｏｆ  ｍｕｌｔｉｍｅｄｉａ  ｓｔｉｍｕｌｉ）に没頭する。ヘッドマウントディスプレイの人気の高まり、及び一般の人々にとっての利用しやすさにより、幅広い支持者がこの体験から恩恵を受けられるようになってきている。
【発明の概要】
【発明が解決しようとする課題】
【０００４】
現在のヘッドマウントディスプレイは、相互作用的で魅力あるユーザ体験を提供するにもかかわらず、多くの面で制限がある。第１に、ヘッドマウントディスプレイのサイズ及び構成が大型になり得る。これにより、ディスプレイの容易なアクセス、効率的な収納及び信頼できる保管が難しくなってしまう。第２に、ヘッドマウントディスプレイが、ディスプレイ自体から分離した支持コンポーネントを有することがある。これにより、これらのコンポーネント（例えば、ヘッドマウントディスプレイのストラップ）の置き忘れ、紛失又は盗難の危険性が高まる。ユーザが旅行中の場合には、これらの問題がさらに深刻化する。旅行者は、多くの場合に持ち運びできる量が限られているため、ユーザが旅行中にヘッドマウントディスプレイを持参してその恩恵を楽しむ意欲が失われてしまう。
【課題を解決するための手段】
【０００５】
本明細書に開示するシステム及びサッチェル（ｓａｔｃｈｅｌ）は、上記の問題に対処する。本明細書に示す主題は、自身のヘッドマウントディスプレイのコンポーネントを紛失するリスクを軽減しながらこれらのディスプレイを効果的に収納して持ち運ぶためのツールをユーザに提供する、一体型ヘッドマウントディスプレイを含むコンバーチブルサッチェルをユーザに提供するシステムを含む。本明細書に示す主題は、ユーザが自身のヘッドマウントディスプレイに容易にアクセスし、どこへ行ったとしてもその恩恵を楽しみ、或いはその恩恵を他者と共有することをさらに可能にする。
【０００６】
本明細書では、１つの態様において、サッチェルであって、内部及び内部の反対側の凹面を形成する側部及び底部と少なくとも１つのリバーシブルコネクタとを含む本体と、２つの端部と、各端部におけるリバーシブルコネクタとを含むストラップとを備え、内部及び凹面が、底部によって分離されてそれぞれ一端が開口し、凹面がヘッドマウントディスプレイを受け入れるように構成され、少なくとも１つのリバーシブルコネクタが、凹面内に受け入れられたヘッドマウントディスプレイを可逆的に保持するように構成され、ヘッドマウントディスプレイが凹面内に受け入れられて保持された時に、側部がヘッドマウントディスプレイと実質的に同一平面になり、ストラップが、本体に可逆的に取り付けられてサッチェルストラップを形成するように、或いはヘッドマウントディスプレイに可逆的に取り付けられてヘッドマウントディスプレイストラップを形成するように転用可能である、サッチェルを開示する。様々な実施形態では、サッチェルが、財布、バックパック、ダッフルバッグ、弁当箱、旅行かばん、カメラバッグ、又はブリーフケースを含む。いくつかの実施形態では、サッチェルが、サッチェルの内部の開口端を包囲する可逆的閉じ蓋をさらに含む。いくつかの実施形態では、ヘッドマウントディスプレイが、大人用サイズのヘッドマウントディスプレイである。いくつかの実施形態では、ヘッドマウントディスプレイが、仮想現実ヘッドマウントディスプレイである。いくつかの実施形態では、ヘッドマウントディスプレイが、拡張現実ヘッドマウントディスプレイである。いくつかの実施形態では、本体の少なくとも１つのリバーシブルコネクタが磁気を帯びる。いくつかの実施形態では、ストラップのリバーシブルコネクタが磁気を帯びる。いくつかの実施形態では、凹面が、サッチェルの内部の収納容量を減少させることなくヘッドマウントディスプレイを受け入れるように構成される。いくつかの実施形態では、凹面内に受け入れられて保持されたヘッドマウントディスプレイが、サッチェルの内部にアクセスすることなく凹面から取り外し可能である。いくつかの実施形態では、ストラップが調整可能な長さを有する。いくつかの実施形態では、凹面内に受け入れられて保持されたヘッドマウントディスプレイが、内部にモバイルコンピュータ装置を収納するように構成される。いくつかの実施形態では、サッチェルが、１又は２以上の電子装置のための充電ステーションを備える。いくつかの実施形態では、電子装置が、ヘッドマウントディスプレイ、モバイル装置、スマートホン、カメラ、又はスマートウォッチを含む。
【０００７】
本明細書では、別の態様において、システムであって、ヘッドマウントディスプレイと、内部及び内部の反対側の凹面を形成する側部及び底部と少なくとも１つのリバーシブルコネクタとを含む本体と、２つの端部と各端部におけるリバーシブルコネクタとを含むストラップとを備え、内部及び凹面が、底部によって分離されてそれぞれ一端が開口し、凹面がヘッドマウントディスプレイを受け入れるように構成され、少なくとも１つのリバーシブルコネクタが、凹面内に受け入れられたヘッドマウントディスプレイを可逆的に保持するように構成され、ヘッドマウントディスプレイが凹面内に受け入れられて保持された時に、側部がヘッドマウントディスプレイの側部と実質的に同一平面になり、ストラップが、リバーシブルコネクタを介して本体に可逆的に取り付けられるように、或いはリバーシブルコネクタを介してヘッドマウントディスプレイに可逆的に取り付けられるように転用可能である、システムを開示する。様々な実施形態では、本体が、財布、バックパック、ダッフルバッグ、弁当箱、旅行かばん、カメラバッグ、又はブリーフケースを含む。いくつかの実施形態では、本体が、内部の開放端を包囲する可逆的閉じ蓋をさらに含む。いくつかの実施形態では、ヘッドマウントディスプレイが、大人用サイズの仮想現実ヘッドマウントディスプレイである。いくつかの実施形態では、ヘッドマウントディスプレイが、大人用サイズの拡張現実ヘッドマウントディスプレイである。いくつかの実施形態では、本体の少なくとも１つのリバーシブルコネクタが磁気を帯び、或いはストラップのリバーシブルコネクタが磁気を帯びる。いくつかの実施形態では、凹面が、内部の収納容量を減少させることなくヘッドマウントディスプレイを受け入れるように構成される。いくつかの実施形態では、ヘッドマウントディスプレイが、内部にアクセスすることなく凹面から取り外し可能である。いくつかの実施形態では、ストラップが調整可能な長さを有する。いくつかの実施形態では、ヘッドマウントディスプレイが、凹面内に受け入れられて保持された時に、内部にモバイルコンピュータ装置を収納するように構成される。いくつかの実施形態では、システムが、１又は２以上の電子装置のための充電ステーションを備える。いくつかの実施形態では、電子装置が、ヘッドマウントディスプレイ、モバイル装置、スマートホン、カメラ、又はスマートウォッチを含む。
【０００８】
本発明の新規の特徴は、添付の特許請求の範囲に詳細に記載する。本発明の原理を利用した例示的な実施形態を示す以下の詳細な説明及び添付図面を参照することにより、本発明の特徴及び利点をさらに良く理解できるであろう。
【図面の簡単な説明】
【０００９】
【図１】ヘッドマウントディスプレイを含むコンバーチブルサッチェルの非限定的な例を示す図であって、この例では、バッグ１７０と、２つの構成が可能なサイズ調整式ストラップ１１０と、バッグヘッドセット領域１２０と、閉じ蓋１４０を有するヘッドマウントディスプレイ１５０と、ヘッドマウントディスプレイ１５０をバッグ１７０に取り付けるためのボタン１３０と、蓋１４０を閉じた状態に保つためのボタン１８０と、携帯電話装置１６０とを示す。
【図２】ヘッドマウントディスプレイを含むコンバーチブルサッチェルの別の非限定的な例を示す図であって、この例では、一方がヘッドマウントディスプレイ側端部２１０に存在して他方が非ヘッドマウントディスプレイ側端部２１５に存在する２つの頂部ループにサイズ調整式ストラップ１１０が取り付けられ、ボタン１３０がヘッドマウントディスプレイ１５０をバッグ１７０に取り付けている、非ヘッドマウントディスプレイ使用状態のバッグ１７０を示す。
【図３】ヘッドマウントディスプレイを含むコンバーチブルサッチェルの別の非限定的な例を示す図であって、この例では、サイズ調整式ストラップ１１０が２つの可能な構成、すなわち一端がヘッドマウントディスプレイ側端部２１０の頂部ループに取り付けられた構成、又は両端がバッグの側部に取り付けられるように配置された構成にあり、ボタン１３０がヘッドマウントディスプレイ１５０をバッグ１７０に取り付けていないバッグ１７０を示す。
【図４】ヘッドマウントディスプレイを含むコンバーチブルサッチェルの別の非限定的な例を示す図であって、この例では、サイズ調整式ストラップ１１０が２つの可能な構成、すなわち一端がヘッドマウントディスプレイ側端部２１０の頂部ループに取り付けられた構成、又は両端が頂部側及び底部側ループ２１５及び４１０に取り付けられた構成にあり、ヘッドマウントディスプレイ１５０がバッグ１７０から完全に切り離されてバッグヘッドセット領域１２０を露出したバッグ１７０を示す。
【図５】ヘッドマウントディスプレイを含むコンバーチブルサッチェルの別の非限定的な例を示す図であって、この例では、互いに完全に切り離されて両端にストラップが固定されたバッグ１７０及びヘッドマウントディスプレイ１５０を示す。
【図６】ヘッドマウントディスプレイを含むコンバーチブルサッチェルの別の非限定的な例を示す図であって、この例では、バッグ１７０と、２つの構成が可能なサイズ調整式ストラップ１１０と、バッグヘッドセット領域１２０と、閉じ蓋１４０を有するヘッドマウントディスプレイ１５０と、ヘッドマウントディスプレイ１５０をバッグ１７０に取り付けるためのボタン１３０と、蓋１４０を閉じた状態に保つためのボタン１８０と、拡張現実能力を有するカメラ６９０と、カメラ付き携帯電話装置１６０とを示す。
【発明を実施するための形態】
【００１０】
本明細書では、いくつかの実施形態において、サッチェルであって、内部及び内部の反対側の凹面を形成する側部及び底部と少なくとも１つのリバーシブルコネクタとを含む本体と、２つの端部と各端部におけるリバーシブルコネクタとを含むストラップとを備え、内部及び凹面が、底部によって分離されてそれぞれ一端が開口し、凹面がヘッドマウントディスプレイを受け入れるように構成され、少なくとも１つのリバーシブルコネクタが、凹面内に受け入れられたヘッドマウントディスプレイを可逆的に保持するように構成され、ヘッドマウントディスプレイが凹面内に受け入れられて保持された時に、側部がヘッドマウントディスプレイと実質的に同一平面になり、ストラップが、本体に可逆的に取り付けられてサッチェルストラップを形成するように、或いはヘッドマウントディスプレイに可逆的に取り付けられてヘッドマウントディスプレイストラップを形成するように転用可能である、サッチェルについて説明する。
【００１１】
本明細書では、いくつかの実施形態において、システムであって、ヘッドマウントディスプレイと、内部及び内部の反対側の凹面を形成する側部及び底部と少なくとも１つのリバーシブルコネクタとを含む本体と、２つの端部と各端部におけるリバーシブルコネクタとを含むストラップとを備え、内部及び凹面が、底部によって分離されてそれぞれ一端が開口し、凹面がヘッドマウントディスプレイを受け入れるように構成され、少なくとも１つのリバーシブルコネクタが、凹面内に受け入れられたヘッドマウントディスプレイを可逆的に保持するように構成され、ヘッドマウントディスプレイが凹面内に受け入れられて保持された時に、側部がヘッドマウントディスプレイの側部と実質的に同一平面になり、ストラップが、リバーシブルコネクタを介して本体に可逆的に取り付けられるように、或いはリバーシブルコネクタを介してヘッドマウントディスプレイに可逆的に取り付けられるように転用可能である、システムについても説明する。
【００１２】
所定の定義
別途定義していない限り、本明細書で使用する全ての技術用語は、本発明が属する技術の当業者が一般に理解しているものと同じ意味を有する。本明細書及び添付の特許請求の範囲で使用する単数形の「ａ、ａｎ（英文不定冠詞）」及び「ｔｈｅ（英文定冠詞）」は、文脈において別途明確に示していない限り複数形も含む。本明細書における「又は」についての言及は、別途指定しない限り「及び／又は」を含むように意図される。
【００１３】
概観
図１に、特定の実施形態におけるコンバーチブルバッグ、その様々なコンポーネント及び携帯電話装置を示す。図１には、バッグ１７０と、２つの構成が可能なサイズ調整式ストラップ１１０と、バッグヘッドセット領域１２０と、閉じ蓋１４０を有するヘッドマウントディスプレイ１５０と、ヘッドマウントディスプレイ１５０をバッグ１７０に取り付けるためのボタン１３０と、蓋１４０を閉じた状態に保つためのボタン１８０と、携帯電話装置１６０とを含む、バッグの様々なコンポーネントをさらに示す。
【００１４】
図２には、特定の実施形態におけるコンバーチブルバッグを示す。図２には、一方がヘッドマウントディスプレイ側端部２１０に存在して他方が非ヘッドマウントディスプレイ側端部２１５に存在する２つの頂部ループにサイズ調整式ストラップ１１０が取り付けられ、ボタン１３０がヘッドマウントディスプレイ１５０をバッグ１７０に取り付けている、非ヘッドマウントディスプレイ使用状態のバッグ１７０をさらに示す。
【００１５】
図３には、特定の実施形態における別の構成のコンバーチブルバッグを示す。図３には、サイズ調整式ストラップ１１０が２つの可能な構成、すなわち一端がヘッドマウントディスプレイ側端部２１０の頂部ループに取り付けられた構成、又は両端がバッグの側部に取り付けられるように配置された構成にあり、ボタン１３０がヘッドマウントディスプレイ１５０をバッグ１７０に取り付けていないバッグ１７０をさらに示す。
【００１６】
図４には、特定の実施形態における異なる構成のコンバーチブルバッグを示す。図４には、サイズ調整式ストラップ１１０が２つの可能な構成、すなわち一端がヘッドマウントディスプレイ側端部２１０の頂部ループに取り付けられた構成、又は両端が頂部側及び底部側ループ２１５及び４１０に取り付けられた構成にあり、ヘッドマウントディスプレイ１５０がバッグ１７０から完全に切り離されてバッグヘッドセット領域１２０を露出したバッグ１７０をさらに示す。
【００１７】
図５には、特定の実施形態における、互いに完全に切り離されて両端にストラップが固定されたバッグ１７０及びヘッドマウントディスプレイ１５０を示す。
【００１８】
図６には、特定の実施形態におけるコンバーチブルバッグ、その様々なコンポーネント及び携帯電話装置を示す。図６には、バッグ１７０と、２つの構成が可能なサイズ調整式ストラップ１１０と、バッグヘッドセット領域１２０と、閉じ蓋１４０を有するヘッドマウントディスプレイ１５０と、ヘッドマウントディスプレイ１５０をバッグ１７０に取り付けるためのボタン１３０と、蓋１４０を閉じた状態に保つためのボタン１８０と、拡張現実能力を有するカメラ６９０と、携帯電話装置１６０とを含む、バッグの様々なコンポーネントをさらに示す。
【００１９】
サッチェル
本明細書に示す主題は、いくつかの例ではサッチェルを含む。いくつかの実施形態では、サッチェルが本体及びストラップを含み、本体は、内部と内部の反対側の凹面とを形成する側部及び底部を含み、内部及び凹面は底部によって分離されてそれぞれ一端が開口する。いくつかの実施形態では、非限定的な例として、サッチェルが、革、布、織布、ポリウレタン、ナイロン、綿キャンバス、ウール、シルク、ポリエチレン、カーボンガラス、アラミド、Ｄｙｎｅｅｍａ（登録商標）、Ｓｐｅｃｔｒａ（登録商標）、Ｖｅｌｃｒｏ（登録商標）、デニム、プラスチック、ポリプロピレン、ウェビング、ポリエステル、レーヨン、リネン、プラスチック、鋼、紙、又はこれらのいずれかの組み合わせで形成される。他の実施形態では、凹面が、ヘッドマウントディスプレイを受け入れるように構成される。さらなる実施形態では、凹面が、サッチェルの内部の収納容量を減少させることなくヘッドマウントディスプレイを受け入れるように構成される。さらに別の実施形態では、凹面内に受け入れられて保持されたヘッドマウントディスプレイが、内部にモバイルコンピュータ装置を収納するように構成される。いくつかの実施形態では、サッチェルが、凹面内に受け入れられたヘッドマウントディスプレイを可逆的に保持するように構成された少なくとも１つのリバーシブルコネクタを含む。さらなる実施形態では、本体の少なくとも１つのリバーシブルコネクタが磁気を帯びる。いくつかの実施形態では、ヘッドマウントディスプレイが凹面内に受け入れられて保持されると、側部がヘッドマウントディスプレイと実質的に同一平面になる。さらなる実施形態では、凹面内に受け入れられて保持されたヘッドマウントディスプレイを、サッチェルの内部にアクセスすることなく凹面から取り外すことができる。他の実施形態では、サッチェルが、サッチェルの内部の開放端を包囲する可逆的閉じ蓋を含む。市販のサッチェルは、非限定的な例として、財布、バックパック、ダッフルバッグ、弁当箱、旅行かばん、カメラバッグ、ブリーフケース、メッセンジャーバッグ、容器、麻袋、ハンドバッグ、パックサック、レチクル、サック、サドルバッグ、スクールバッグ、カーペットバッグ、雑嚢、ナップザック、スポーツバッグ、旅行用トランク（ｐｏｒｔｍａｎｔｅａｕ）、リュックサック、スーツケース、小型スーツケース（ｖａｌｉｓｅ）又は旅行用バッグを含む。
【００２０】
ストラップ
本明細書に示す主題は、いくつかの例では１又は２以上のストラップを含む。いくつかの実施形態では、非限定的な例として、ストラップが、革、布、織布、ポリウレタン、ナイロン、綿キャンバス、ウール、シルク、ポリエチレン、カーボンガラス、アラミド、Ｄｙｎｅｅｍａ（登録商標）、Ｓｐｅｃｔｒａ（登録商標）、Ｖｅｌｃｒｏ（登録商標）、デニム、プラスチック、ポリプロピレン、ウェビング、ポリエステル、レーヨン、リネン、プラスチック、鋼、紙、又はこれらのいずれかの組み合わせで形成される。いくつかの実施形態では、ストラップが、１又は２以上のクリップ、ファスナ、チェーン、フック、ジッパー又はリングを使用して調整可能である。他の実施形態では、ストラップが、非限定的な例としてウェビングを含む伸縮性材料で構成される。いくつかの実施形態では、ストラップが、２又は３以上の端部と、各端部のリバーシブルコネクタとを含む。いくつかの実施形態では、ストラップが３つの端部を含み、２つの端部がヘッドマウントディスプレイの側部に取り付けられ、第３の端部がストラップの中間部分からヘッドマウントディスプレイの中心部分に延びる。他のいくつかの実施形態では、２つの別個のストラップがサッチェルから外れて組み合わさって、ヘッドマウントディスプレイのための３つの端部を有する単一ストラップを形成し、この場合２つの端部がヘッドマウントディスプレイの各側部に接続し、第３の端部がヘッドマウントディスプレイの頭上ストラップを形成する。他の実施形態では、ストラップが、本体に可逆的に取り付けられてサッチェルストラップを形成するように、或いはヘッドマウントディスプレイに可逆的に取り付けられてヘッドマウントディスプレイストラップを形成するように転用可能である。さらなる実施形態では、ストラップのリバーシブルコネクタが磁気を帯びる。いくつかの実施形態では、ストラップが、ヘッドマウントディスプレイに使用されていない時に機能的用途を有する。さらなる実施形態では、ストラップが、アイテムを固定又は締結するために使用される。固定又は締結されるアイテムとしては、非限定的な例として、ストラップ自体、ファスナ、他のストラップ、サッチェル、ヘッドマウントディスプレイ又はその他のサッチェルが挙げられる。他の実施形態では、ストラップが、ヘッドマウントディスプレイのストラップとして使用されていない時に装飾物又は飾りになる。
【００２１】
ヘッドマウントディスプレイ
本明細書に示す主題は、いくつかの例ではヘッドマウントディスプレイ（ＨＭＤ）を含む。いくつかの実施形態では、ＨＭＤがユーザの頭部に装着される。いくつかの実施形態では、ＨＭＤが眼鏡又はバイザーである。他の実施形態では、ＨＭＤがユーザのヘルメットに取り付けられる。さらなる実施形態では、ＨＭＤが１又は２以上のレンズディスプレイを含む。さらに別の実施形態では、ＨＭＤ上のレンズディスプレイが、ブラウン管ディスプレイ、液晶ディスプレイ、液晶オンシリコンディスプレイ、又は有機発光ダイオードディスプレイを含む。さらに別の実施形態では、ＨＭＤが、回折導波路、ホログラフィック導波路、偏光導波路、反射導波路、Ｃｌｅａｒ−Ｖｕ反射導波路及び切替可能導波路を含むシースルー技術を含む。他の実施形態では、ＨＭＤが大人用サイズ（ｆｕｌｌ−ｓｉｚｅｄ）である。さらなる実施形態では、ＨＭＤが仮想現実である。いくつかの実施形態では、ヘッドマウントディスプレイが、ＶＲヘッドマウントディスプレイ、ＶＲヘッドセット又はＶＲゴーグルである。他の実施形態では、ヘッドマウントディスプレイが、３Ｄマルチメディアを表現することができる。他の実施形態では、ヘッドマウントディスプレイが、拡張現実（ＡＲ）を表現することができる。市販のＨＭＤメーカー及びブランドとしては、非限定的な例として、Ａｖｅｇａｎｔ、Ａｔａｒｉ（登録商標）Ｊａｇｕａｒ  ＶＲ、Ｃａｎｏｎ（登録商標）ＶＲ、ＣａｒｌＺｅｉｓｓ（登録商標）ＶＲ  Ｏｎｅ、Ｄａｑｒｉ  Ｓｍａｒｔ  Ｈｅｌｍｅｔ、ｅＭａｇｉｎ  ＥＭＡＮ、Ｅｐｓｏｎ（登録商標）、ＨＴＣ（登録商標）Ｖｉｖｅ、ＩｍｍｅｒｓｉＯＮＶＲｅｌｉａ、ＫａｉｓｅｒＥｌｅｃｔｒｏ−Ｏｐｔｉｃｓ、Ｋｏｐｉｎ  Ｃｏｒｐｏｒａｔｉｏｎ  Ｇｏｌｄｅｎ−ｉ、ＬＡＳＴＥＲ  Ｔｅｃｈｎｏｌｏｇｉｅｓ、Ｌｉｑｕｉｄ  Ｉｍａｇｅ、Ｍａｇｉｃ  Ｌｅａｐ、Ｍｅｒｇｅ  ＶＲ、Ｍｉｃｒｏｓｏｆｔ（登録商標）ＨｏｌｏＬｅｎｓ、ＭｉｃｒｏＯｐｔｉｃａｌ、Ｍｏｔｏｒｏｌａ（登録商標）、ＭｙＶｕ、Ｎｉｎｔｅｎｄｏ（登録商標）Ｖｉｒｔｕａｌ  Ｂｏｙ、ｎｏｖｅｒｏ、Ｏｃｕｌｕｓ（登録商標）ＶＲ、Ｏｌｙｍｐｕｓ（登録商標）、Ｐｈｉｌｉｐｓ（登録商標）、  Ｒｅｃｏｎ  Ｉｎｓｔｒｕｍｅｎｔｓ、ＲｏｃｋｗｅｌｌＣｏｌｌｉｎｓ（登録商標）Ｏｐｔｒｏｎｉｃｓ、Ｓａｍｓｕｎｇ（登録商標）Ｇｅａｒ  ＶＲ、ＳＥＧＡ（登録商標）Ｓｅｇａ  ＶＲ、Ｓｅｎｓｉｃｓ、Ｓｏｎｙ（登録商標）ＰｌａｙＳｔａｔｉｏｎ  ＶＲ、Ｔａｋａｒａ  Ｄｙｎｏｖｉｓｏｒ、ＴＤＶｉｓｉｏｎ、ＶｉｃｔｏｒＭａｘｘ  ＣｙｂｅｒＭａｘｘ、ＶＰＬ  Ｒｅｓｅａｒｃｈ、ＶＲＶａｎａ、及びＶｕｚｉｘが挙げられる。市販の光学ＨＭＤメーカー及びブランドとしては、非限定的な例として、Ｇｏｏｇｌｅ（登録商標）Ｇｌａｓｓ、Ｓｏｎｙ（登録商標）Ｇｌａｓｓｔｒｏｎ、Ｏｌｙｍｐｕｓ（登録商標）Ｏｐｔｉｃａｌ  ＰＣ  Ｅｙｅ−Ｔｒｅｋ、ＩＢＭ（登録商標）、Ｎｏｋｉａ（登録商標）、Ｍｉｒａｇｅ  Ｉｎｎｏｖａｔｉｏｎｓ、ＤｉｇｉＬｅｎｓ、ＳＢＧ  Ｌａｂｓ  ＶＩＲＴＵＡＬＩＴＹ  ＨＭＥｙｅｔｒａｃｋ、Ｌｕｍｕｓ、ＭｉｃｒｏＶｉｓｉｏｎ  Ｎｏｍａｄ、Ｐｅｎｎｙ  Ｃ  Ｗｅａｒ、Ｂｒｏｔ��ｅｒ  Ｉｎｄｕｓｔｒｉｅｓ、ＫｏｎｉｃａＭｉｎｏｌｔａ（登録商標）、Ｏｐｔｉｎｖｅｎｔ、Ｏｐｔｉｃａｌ  Ｒｅｓｅａｒｃｈ  Ａｓｓｏｃｉａｔｅｓ、Ａｕｇｍｅｎｔｅｄ  Ｖｉｓｉｏｎ、Ｖｕｚｉｘ、Ａｔｈｅｅｒ  Ｌａｂｓ、Ｍｅｔａ、ＧｌａｓｓＵｐ、Ｌａｓｔｅｒ  Ｔｅｃｈｎｏｌｏｇｉｅｓ、Ｉｎｎｏｖｅｇａ、Ｆｒａｕｎｈｏｆｅｒ  ＣＯＭＥＤＤ、Ｔｈｅ  Ｔｅｃｈｎｏｌｏｇｙ  Ｐａｒｔｎｅｒｓｈｉｐ、Ｔｅｌｅｐａｔｈｙ、Ｏｃｕｌｏｎ  Ｏｐｔｏｅｌｅｃｔｒｏｎｉｃｓ、富士通、Ｂａｉｄｕ（登録商標）、Ｍｉｃｒｏｓｏｆｔ（登録商標）、ＬＡＦＯＲＧＥ  Ｏｐｔｉｃａｌ、東芝ガラス、Ａｓｈｋｅｌｏｎ  Ｅｙｅｗａｒｅ  Ｔｅｃｈｎｏｌｏｇｉｅｓ、ＢＡＥ  Ｓｙｓｔｅｍｓ、Ｓｉｌｉｃｏｎ  Ｍｉｃｒｏ  Ｄｉｓｐｌａｙ、Ｓｈｉｍａｄｚｕ、ＴＤＫ、ＯＤＡＬａｂ、Ｖｉｒｔｕａｌ  Ｖｉｓｉｏｎ  Ｉｎｃ、ｅＭａｇｉｎ、ｎＶｉｓｉｏｎ  Ｉｎｄｕｓｔｒｉｅｓ、ＮＶＩＳ、Ｌｉｔｅｙｅ  Ｓｙｓｔｅｍｓ、Ｔｒｉｖｉｓｉｏ、ｉＯ  Ｄｉｓｐｌａｙシステム、及びＣｉｎｏｐｔｉｃｓが挙げられる。
【００２２】
さらなる実施形態では、ＨＭＤが、ヘッドマウント及びディスプレイ装置を含む。いくつかの実施形態では、ディスプレイ装置がスマートホンである。他の実施形態では、ディスプレイ装置がタブレットである。特定の実施形態では、ヘッドマウントがＧｏｏｇｌｅ（登録商標）Ｃａｒｄｂｏａｒｄである。Ｇｏｏｇｌｅ（登録商標）Ｃａｒｄｂｏａｒｄとの互換性を有する市販のディスプレイ装置としては、非限定的な例として、Ａｍａｚｏｎ（登録商標）Ｆｉｒｅ、ＨＴＣ（登録商標）Ｏｎｅ、Ａｐｐｌｅ（登録商標）ｉＰｈｏｎｅ６、Ｇｏｏｇｌｅ（登録商標）Ｎｅｘｕｓ５、Ｍｏｔｏｒｏｌａ（登録商標）ＭｏｔｏＸ、Ｓａｍｓｕｎｇ（登録商標）ＧａｌａｘｙＳ６、Ｓａｍｓｕｎｇ（登録商標）ＧａｌａｘｙＴａｂ、及びＳｏｎｙ（登録商標）ＴａｂｌｅｔＳが挙げられる。当業者であれば、高解像度ディスプレイ画面を含むとともにナビゲーション手段としてのジャイロスコープ及び加速度計を備えたあらゆる装置をＨＭＤとして使用することができると認識するであろう。
【００２３】
仮想現実（ＶＲ）
いくつかの実施形態では、本明細書で説明するシステム及びサッチェルが、仮想現実（ＶＲ）又はその使用を含む。いくつかの実施形態では、ＶＲが、没入型マルチメディアコンピュータシミュレーテッドリアリティである。他の実施形態では、コンピュータシステムが、現実環境、想像環境、又は現実環境と想像環境とを再現するように構成される。さらなる実施形態では、ディスプレイを通じてＶＲが体験される。さらに別の実施形態では、装置画面又はヘッドマウントディスプレイ（ＨＭＤ）を通じてＶＲが表示される。さらなる実施形態では、サーバ又は直接ピアツーピア接続を通じてＶＲ装置同士が接続される。さらなる実施形態では、ＶＲ装置が、感覚フィードバックを提供するように構成された外部センサ装置である。外部センサ装置の実装は、以下に限定するわけではないが、キーボード、マウス、コントローラ、グローブ、ゲームパッド装置、又はゲーム付属装置を含む多くの好適なものが検討される。いくつかの実施形態では、ＶＲを現実環境へのオーバーレイとして適用して拡張現実（ＡＲ）を形成する。
【００２４】
拡張現実（ＡＲ）
いくつかの実施形態では、本明細書で説明するシステム及びサッチェルが、拡張現実（ＡＲ）又はその使用を含む。いくつかの実施形態では、ＡＲが、物理的な現実環境の直接的又は間接的視野をユーザに提供するとともに、以下に限定するわけではないが、音、映像、グラフィックス又はＧＰＳデータを含むコンピュータ生成された感覚入力によって増強又は補足された要素も提供する。いくつかの実施形態では、ＡＲが、周囲の現実世界に関する情報を双方向的かつデジタル的に操作可能にする。いくつかの実施形態では、ＡＲ情報を、例えば他の実際の検知又は測定情報が見える仮想的又は現実的なものとすることができる。市販のＡＲメーカー及びブランドとしては、非限定的な例として、Ｍｉｃｒｏｓｏｆｔ（登録商標）ＨｏｌｏＬｅｎｓ、Ｓｏｎｙ（登録商標）ＳｍａｒｔＥｙｅｇｌａｓｓ、Ｅｐｓｏｎ（登録商標）Ｍｏｖｅｒｉｏ  ＢＴ−２００、Ｇｏｏｇｌｅ（登録商標）Ｇｌａｓｓ、ＶｕｚｉｘＭ１００（登録商標）Ｓｍａｒｔ  Ｇｌａｓｓｅｓ、Ｍｅｔａ  １、Ｒｅｃｏｎ  Ｊｅｔ、Ｏｐｔｉｖｅ  Ｏｒａ−１、ＧｌａｓｓＵｐ、及びＺ８００  ＰｒｏＡＲが挙げられる。当業者であれば、直接的又は間接的視野を提供する、或いはコンピュータ生成入力によって補足されたあらゆる装置をＡＲ装置として使用することができると認識するであろう。
【００２５】
３次元（３Ｄ）マルチメディア
いくつかの実施形態では、本明細書で説明するシステム及びサッチェルが、３次元（３Ｄ）マルチメディア又はその使用を含む。いくつかの実施形態では、３Ｄマルチメディアが、立体写真を通じて奥行き知覚の錯覚を強化する動画である。他の実施形態では、３Ｄマルチメディアが、特別な投影ハードウェア及び／又はアイウェアを利用して、対になった各画像の視認性を視聴者の左目又は右目のみに制限する。
【００２６】
モバイル装置
本明細書に示す主題は、いくつかの例ではモバイル装置を含む。市販のモバイル装置としては、非限定的な例として、携帯電話機、スマートホン、携帯情報端末、ラップトップ、タブレット、又はスマートウォッチが挙げられる。当業者であれば、ディスプレイ画面と、モバイルアプリケーションを実行できるオペレーティングシステムとを有する、通常は手で保持して操作できるほど十分に小さな小型コンピュータ装置を含むあらゆる装置をモバイル装置として使用することができると認識するであろう。
【実施例】
【００２７】
以下の説明例は、本明細書で説明したソフトウェアアプリケーション、システム及び方法の実施形態を示すものであり、決して限定を意図するものではない。
【００２８】
実施例１〜ピクニックで３６０°パノラマ写真を共有する
２１歳の大学生が、友人と日曜日のピクニックのための荷造りをしている。彼女は、休暇でメキシコに行った時にＳａｍｓｕｎｇ（登録商標）Ｇａｌａｘｙ  Ｓ６フォンで撮影した３６０°パノラマ写真を共有する計画を立てており、これを十分に体験するにはヘッドマウントディスプレイが必要である。既にスポーツバッグにはＳａｍｓｕｎｇ（登録商標）Ｇｅａｒ  ＶＲが収められているので、彼女は、嵩張るピクニック用品をスポーツバッグに詰めている時にヘッドマウントディスプレイのためのスペースを別に作ることを心配することはない。同様に、あらゆる付属品はピクニック用品から離れた区画に収納されているので、彼女はこれらの付属品の置き忘れ又は損傷を心配することもない。この学生は、全てのピクニック用品とＳａｍｓｕｎｇ（登録商標）Ｇｅａｒ  ＶＲとを１つのスポーツバッグに入れて公園まで便利に運ぶことができる。ピクニック時には、磁力によって自身のスポーツバッグに接続されたＳａｍｓｕｎｇ（登録商標）Ｇｅａｒ  ＶＲを容易に切り離し、スポーツバッグのストラップを外してＳａｍｓｕｎｇ（登録商標）Ｇｅａｒ  ＶＲのストラップに転用する。次に、Ｓａｍｓｕｎｇ（登録商標）Ｇａｌａｘｙ  Ｓ６フォンをＳａｍｓｕｎｇ（登録商標）Ｇｅａｒ  ＶＲに挿入し、ストラップの長さを自分の頭の周囲に快適にフィットするように調整して、Ｓａｍｓｕｎｇ（登録商標）Ｇｅａｒ  ＶＲを頭に載せる。彼女は、いくつかの写真に目を通した後で、これらの没入的な体験を友人と共有できるようにヘッドセットを外す。彼女の友人らは、異なる頭のサイズにフィットするように容易にストラップを調整する。この学生とその友人らは、写真に夢中になって、ビーチ、美術館及びその他のお出掛けのパノラマビューを楽しむ。ピクニックの終わりには、再びＳａｍｓｕｎｇ（登録商標）Ｇｅａｒ  ＶＲを自分のスポーツバッグに容易に取り付け、装備とピクニック用品を１つのバッグに入れて便利に持ち帰る。
【００２９】
実施例２〜機内で３Ｄ映画を見る
ある４０歳の女性が出張で長距離飛行をしている。彼女は、機内エンターテイメントオプションを閲覧しているが面白そうなものはない。彼女は、機内では利用できない機能である３Ｄ映画を見たい気分である。この女性実業家は、座席の下に収容された機内持ち込み手荷物に手を伸ばす。彼女は、自身のヘッドマウントディスプレイであるＣａｒｌＺｅｉｓｓ（登録商標）ＶＲ  Ｏｎｅを手荷物に取り付けているボタンを外し、３Ｄ映画を再生するように構成されたＡｐｐｌｅ（登録商標）ｉＰｈｏｎｅ  ６をＣａｒｌＺｅｉｓｓ（登録商標）ＶＲ  Ｏｎｅの凹面に挿入する。その後、機内持ち込み手荷物のストラップを取り外し、ＣａｒｌＺｅｉｓｓ（登録商標）ＶＲ  Ｏｎｅのストラップになるように再構成する。彼女は、自分の頭の周囲にぴったりとフィットするように容易にストラップを調整することができる。この女性は、ＣａｒｌＺｅｉｓｓ（登録商標）ＶＲ  ＯｎｅとＡｐｐｌｅ（登録商標）ｉＰｈｏｎｅ  ６とを使用してお気に入りの３Ｄ映画を見ながら残りのフライトを楽しむ。目的地に着くと、再びＣａｒｌＺｅｉｓｓ（登録商標）ＶＲ  Ｏｎｅを容易に取り付け、ストラップを機内持ち込み手荷物に付け戻し、ヘッドマウントディスプレイ装備と手荷物を１つのバッグに入れて飛行機を降りる。
【００３０】
実施例３−学生宅でＶＲゲームを使用して生物学を教える
３１歳の生物学の家庭教師が、生徒宅で中学生を教えている。単元は、ウイルス及びその人体との相互作用についてである。家庭教師は、最初にウイルスと細胞内の構造を言葉で説明するが、生徒は理解できない。家庭教師が紙にウイルスと細胞の絵を描いたものの、学生は苦労し続けている。家庭教師は、自身のメッセンジャーバッグに手を伸ばし、ユーザを体内に取り込むＶＲゲームをプレイするように構成されたヘッドマウントディスプレイであるＨＴＣ（登録商標）Ｖｉｖｅを取り外す。また、メッセンジャーバッグから装飾用ストラップも取り外してＨＴＣ（登録商標）Ｖｉｖｅのストラップにする。ストラップの長さは、元々は家庭教師の頭部にフィットするように構成されたものであるが、家庭教師は、生徒の頭部に快適にフィットするように容易にサイズを調整することができる。学生は、ＨＴＣ（登録商標）Ｖｉｖｅを装着する。家庭教師がＶＲゲームをオンにすると、生徒は、没入的なＶＲ環境内で血流を通り抜け、細胞内に入り込み、細胞小器官がどのように機能してウイルスと戦うかを間近で目にする。生徒は、ＶＲゲームのプレイ後に、ウイルスがどのように機能して人体とどのように相互作用するかをよく理解できるようになる。授業が終わると、家庭教師は、再びＨＴＣ（登録商標）Ｖｉｖｅを容易に取り付け、ストラップをメッセンジャーバッグに戻して帰宅する。
【００３１】
本明細書では、本発明の好ましい実施形態を図示し説明したが、当業者には、このような実施形態は一例にすぎないことが明らかであろう。当業者には、本発明から逸脱することなく既に数多くの変形、変更及び置換が浮かんでいるであろう。本発明を実施する際には、本明細書に示す発明の実施形態の様々な代替例を使用することができると理解されたい。
【符号の説明】
【００３２】
１５０  ヘッドマウントディスプレイ
１７０  バッグ
【図１】
2020525247.tif 000003
【図２】
2020525247.tif 000004
【図３】
2020525247.tif 000005
【図４】
2020525247.tif 000006
【図５】
2020525247.tif 000007
【図６】
2020525247.tif 000008
【国際調査報告】
2020525247.tif 000009
2020525247.tif 000010
2020525247.tif 000011